(57)【要約】【課題】  通常の印刷（複写）は実施しないでＲＦＩＤの情報のみを印刷することによって、機密性のある原稿などの複写ができないようにセキュリティを掛ける画像形成装置を提供する。【解決手段】  原稿を読み取るスキャナ部５０ａと、このスキャナ部５０ａにより読み取った画像データに基づいて複写画像を形成するプリンタ部５０ｂと、原稿に埋め込まれたＲＦＩＤタグを検出するＲＦＩＤタグ読み取り手段７８とを備えた画像形成装置であって、ＣＰＵ８５は複写開始時に、ＲＦＩＤタグ読み取り手段７８により原稿から所定のＲＦＩＤタグを検出した場合は、原稿の複写画像を形成することなく、ＲＦＩＤタグの情報のみを印刷するように制御した。【選択図】  図２
2006229717.tif 000002
【特許請求の範囲】
【請求項１】
原稿を読み取る読み取り手段と、該読み取り手段により読み取った画像データに基づいて複写画像を形成する画像形成手段と、前記原稿に埋め込まれたＲＦＩＤタグを読み取るＲＦＩＤタグ読み取り手段とを備えた画像形成装置であって、複写開始時に、ＲＦＩＤタグ読み取り手段により前記原稿から所定のＲＦＩＤタグを検出した場合は、前記原稿の複写画像を形成することなく、前記ＲＦＩＤタグの情報のみを印刷するように制御する制御手段を備えたことを特徴とする画像形成装置。
【請求項２】
前記ＲＦＩＤの情報を記憶する記憶手段を備えることを特徴とする請求項１記載の画像形成装置。
【請求項３】
前記制御手段は、複写開始時に、前記原稿から所定のＲＦＩＤタグを検出した場合は、前記原稿の複写画像を形成することなく、前記記憶手段に記憶されているＲＦＩＤの情報をすべて印刷するように制御することを特徴とする請求項２記載の画像形成装置。
【請求項４】
前記制御手段は、複写開始時に、前記原稿から所定のＲＦＩＤタグを検出した場合は、そのＲＦＩＤの情報が特定情報である場合に、前記原稿の複写画像を形成することなく、前記記憶手段に記憶されているＲＦＩＤの情報をすべて印刷するように制御することを特徴とする請求項２記載の画像形成装置。
【請求項５】
前記制御手段は、複写開始時に、前記原稿から所定のＲＦＩＤタグを検出した場合は、前記原稿の複写画像を形成することなく、検出したＲＦＩＤの情報と前記記憶手段に記憶されているＲＦＩＤの情報とを比較して、一部または全部が一致しているときは、その一致したＲＦＩＤのみを印刷するように制御することを特徴とする請求項３記載の画像形成装置。
【請求項６】
前記制御手段は、複写開始時に、前記原稿から所定のＲＦＩＤタグを検出した場合は、前記原稿の複写画像を形成することなく、検出したＲＦＩＤの情報と前記記憶手段に記憶されているＲＦＩＤの情報とを比較して、一致しているものがないときは、印刷しないように制御することを特徴とする請求項５記載の画像形成装置。
【請求項７】
前記制御手段は、ＲＦＩＤの検出を実行するか否かを選択・設定する選択設定手段を備えていることを特徴とする請求項１乃至請求項６のいずれか１項に記載の画像形成装置。
【請求項８】
原稿を読み取る読み取り手段と、該読み取り手段により読み取った画像データに基づいて複写画像を形成する画像形成手段と、前記原稿に埋め込まれたＲＦＩＤタグを検出するＲＦＩＤタグ読み取り手段とを備えた画像形成装置であって、複写開始時に、ＲＦＩＤタグ読み取り手段により前記原稿から所定のＲＦＩＤタグを検出した場合は、検出したＲＦＩＤの情報のみを１枚印刷し、２枚目以降の前記原稿の複写画像を形成するように制御する制御手段を備えたことを特徴とする画像形成装置。
【請求項９】
前記制御手段は、複写開始時に、前記原稿から所定のＲＦＩＤタグを検出した場合は、前記原稿の複写画像を形成した後、検出したＲＦＩＤの情報のみを印刷するように制御することを特徴とする請求項８記載の画像形成装置。
【請求項１０】
前記制御手段は、ＲＦＩＤの検出を実行するか否かと、原稿の複写とＲＦＩＤの印刷順番を選択する選択手段を備えていることを特徴とする請求項８または９記載の画像形成装置。
【発明の詳細な説明】
【技術分野】
【０００１】
本発明は、ＲＦＩＤタグ読み取り手段を備えるプリンタ、複写機等の画像形成装置に関するものである。
【背景技術】
【０００２】
従来では、画像形成装置において原稿の複写の良好なセキュリティを確保するために、容易に判別できず、不正しにくいＲＦＩＤ、複写を禁止するマークなどを使用することが知られている（例えば、特許文献１、２参照）。
画像形成装置である通常の複写機において、原稿がどのような種類であるかを、自動的に判別することは難しい。ＲＦＩＤを埋め込んだあるいは添付した原稿を使用し、複写機が、その原稿の種類を判別できるようにすれば非常に好都合である。
このために、特許文献１には、原稿のＲＦＩＤタグを検知時にＩＤ番号を入力して印字用紙に記録し、空白部分にＩＤ番号をＱＲコード化して印字する技術が開示されている。
また、特許文献２には原稿の複写厳禁のシンボルを読み取ったときに複写を拒否する技術が開示されている。
【特許文献１】特開２００２−３３７４２６公報
【特許文献２】特開平７−０５６４８４号公報
【発明の開示】
【発明が解決しようとする課題】
【０００３】
しかしながら、上記特許文献１では、本来の印刷をしてしまうのでセキュリティ上問題である。かかる場合に、特定の原稿だけに対して事実上複写が不可能な仕組みがあれば、機密性のある原稿など複写できないようにすることができる。
そこで、本発明は、上述した実情を考慮して、通常の印刷（複写）は実施しないでＲＦＩＤの情報のみを印刷することによって、機密性のある原稿などの複写ができないように、セキュリティを掛ける画像形成装置を提供することにある。
また、ＲＦＩＤの情報を機器に蓄積して、その情報と検出したＩＤの情報を組み合わせて複写をせずＩＤだけ示すようなセキュリティが可能である画像形成装置を提供することにある。
【課題を解決するための手段】
【０００４】
上記の課題を解決するために、請求項１に記載の発明は、原稿を読み取る読み取り手段と、該読み取り手段により読み取った画像データに基づいて複写画像を形成する画像形成手段と、前記原稿に埋め込まれたＲＦＩＤタグを検出するＲＦＩＤタグ読み取り手段とを備えた画像形成装置であって、複写開始時に、ＲＦＩＤタグ読み取り手段により前記原稿から所定のＲＦＩＤタグを検出した場合は、前記原稿の複写画像を形成することなく、前記ＲＦＩＤタグの情報のみを印刷するように制御する制御手段を備えたことを特徴とする。
また請求項２に記載の発明は、前記ＲＦＩＤの情報を記憶する記憶手段を備える請求項１記載の画像形成装置を特徴とする。
また請求項３に記載の発明は、前記制御手段は、複写開始時に、前記原稿から所定のＲＦＩＤタグを検出した場合は、前記原稿の複写画像を形成することなく、前記記憶手段に記憶されているＲＦＩＤの情報をすべて印刷するように制御する。
また請求項４に記載の発明は、前記制御手段は、複写開始時に、前記原稿から所定のＲＦＩＤタグを検出した場合は、そのＲＦＩＤの情報が特定情報である場合に、前記原稿の複写画像を形成することなく、前記記憶手段に記憶されているＲＦＩＤの情報をすべて印刷するように制御する請求項２記載の画像形成装置を特徴とする。
また請求項５に記載の発明は、前記制御手段は、複写開始時に、前記原稿から所定のＲＦＩＤタグを検出した場合は、前記原稿の複写画像を形成することなく、検出したＲＦＩＤの情報と前記記憶手段に記憶されているＲＦＩＤの情報とを比較して、一部または全部が一致しているときは、その一致したＲＦＩＤのみを印刷するように制御する請求項３記載の画像形成装置を特徴とする。
また請求項６に記載の発明は、前記制御手段は、複写開始時に、前記原稿から所定のＲＦＩＤタグを検出した場合は、前記原稿の複写画像を形成することなく、検出したＲＦＩＤの情報と前記記憶手段に記憶されているＲＦＩＤの情報とを比較して、一致しているものがないときは、印刷しないように制御する請求項５記載の画像形成装置を特徴とする。
【０００５】
また請求項７に記載の発明は、前記制御手段は、ＲＦＩＤの検出を実行するか否かを選択・設定する選択設定手段を備えている請求項１ないし６のいずれか１項記載の画像形成装置を特徴とする。
また請求項８に記載の発明は、原稿を読み取る読み取り手段と、該読み取り手段により読み取った画像データに基づいて複写画像を形成する画像形成手段と、前記原稿に埋め込まれたＲＦＩＤタグを検出するＲＦＩＤタグ読み取り手段とを備えた画像形成装置であって、複写開始時に、ＲＦＩＤタグ読み取り手段により前記原稿から所定のＲＦＩＤタグを検出した場合は、検出したＲＦＩＤの情報のみを１枚印刷し、２枚目以降の前記原稿の複写画像を形成するように制御する制御手段を備えた画像形成装置を特徴とする。
また請求項９に記載の発明は、前記制御手段は、複写開始時に、前記原稿から所定のＲＦＩＤタグを検出した場合は、前記原稿の複写画像を形成した後、検出したＲＦＩＤの情報のみを印刷するように制御する請求項８記載の画像形成装置を特徴とする。
また請求項１０に記載の発明は、前記制御手段は、ＲＦＩＤの検出を実行するか否かと、原稿の複写とＲＦＩＤの印刷順番を選択する選択手段を備えている請求項８または９記載の画像形成装置を特徴とする。
【発明の効果】
【０００６】
本発明によれば、複写をせずに、ユーザにＲＦＩＤの情報を明示的に知らせることができ、複写の禁止にも使え、また、ＲＦＩＤの情報を蓄積することができ、その後の蓄積されたＲＦＩＤ情報の活用も可能となる。
また、本発明によれば、ＲＦＩＤの原稿をキーとして、蓄積されたＲＦＩＤ情報を取り出すことができ、過去に同じＲＦＩＤの付いた原稿の複写を禁止することができ、さらにユーザに情報をなにも与えないようにし、ユーザにとって使い易い画像形成装置が可能となる。
【発明を実施するための最良の形態】
【０００７】
本発明の画像形成装置は、ＲＦＩＤタグ付き紙を印刷用紙として使用することを想定する。画像形成装置にはＲＦＩＤタグ読み取り手段を備え、あるいは別ユニットの読み取り手段を接続可能なインタフェースを備え、前記読み取り手段はそれ自体に内蔵あるいは外付けで設置可能な構成を想定している。
また、画像形成装置には操作パネルとしてボタン、タッチパネル等の入力機能とＬＥＤ、ＬＣＤ、ＣＲＴ等の表示機能を備え、内蔵あるいは外付けで設置可能な構成を想定している。
また操作パネルは、無線ＬＡＮ・無線公衆回線・光通信・音通信といった無線通信を利用してＰＤＡ、携帯電話、携帯型コンピュータ、リモートコントローラ、ネットワーク家電製品といった他の装置に具備している操作手段を使って制御することも想定している。さらに、本実施形態の画像形成装置では、操作パネルよりＲＦＩＤの各種設定を行うことができることを想定している。
また有線・無線ネットワークにて画像形成装置と接続されたホストコンピュータの入出力機能を使って制御することも想定している。
また、ＲＦＩＤタグ情報の取得が、原稿が原稿台に載置され静止状態での検知ではなく、原稿搬送中に行われるように構成されているため、単一のＲＦＩＤ読み取り手段にて用紙上のＲＦＩＤタグ情報を１枚１枚読み取ることが容易に可能であるような画像形成装置を想定している。
複写機・スキャナといった原稿読み取りを備えた装置あるいは複合システムに適用することを想定している。また、本装置は、ＲＦＩＤタグの情報を記憶できるメモリを有する。複写機・プリンタといった印刷装置あるいは複合システムに適用することを想定している。
【０００８】
以下、図面を参照して、本発明の実施の形態を詳細に説明する。
図１は本発明に係る画像形成装置の実施形態を示す概略図、図２は制御部の概略構成を示したブロック図である。
なお、本実施形態の画像形成装置は、例えば原稿画像を複写する複写機能、通信回線を介して画像データを送受信するファクシミリ機能、及び外部Ｉ／Ｆを介して外部装置から供給される画像データに基づいてプリントするプリンタ機能を備えた画像形成装置、すなわち複合型デジタル複写装置（以下、複写装置と略称する）として構成される。
図１に示すように、本実施形態の画像形成装置である電子写真式デジタル複写装置５０は、原稿画像を読み取って画像データを生成する読み取り手段として機能するスキャナ部５０ａ（画像読み取り部）、及び画像データに基づいて画像を形成するプリンタ部５０ｂ（画像形成手段）を有している。
また複写装置５０は、スキャナ部５０ａの上部に、搬送手段としての自動原稿給送装置５１を備えている。この自動原稿給送装置５１はスキャナ部５０ａの後述する原稿台、すなわち原稿テーブルに対して開閉可能に形成されて読み取り対象物としての原稿Ｄを原稿台に向けて１枚ずつ給送するとともに、原稿台に載置された原稿Ｄを原稿台に密着させる原稿押さえとして機能する。
スキャナ部５０ａの上部には、閉じた状態にある自動原稿給送装置５１に対向されるとともに原稿Ｄがセットされる透明なガラスからなる原稿テーブル５２と、原稿テーブル５２の一端に配置されるとともに原稿テーブル５２に原稿Ｄをセットすべき位置を示す原稿スケール５３とを有している。
原稿テーブル５２の下方には、原稿テーブル５２に載置された原稿Ｄを照明する露光ランプ５４、この露光ランプ５４からの光ビームを原稿Ｄに集光させるための補助反射板５８、及び原稿Ｄからの反射ビームを図中左方向に折り曲げる第１ミラー５６などが配置されている。
露光ランプ５４、補助反射板５８及び第１ミラー５６は、第１キャリッジ５７に固定されており、第１キャリッジ５７の移動にともなって原稿テーブル５２と平行に移動可能に配置されている。
なお、第１キャリッジ５７には、図示しない歯付きベルト等を介して図示しないパルスモータの駆動力が伝達されて、原稿テーブル５２に沿って平行に移動される。
【０００９】
原稿テーブル５２の図中左方、すなわち第１ミラー５６により反射された反射ビームが案内される方向には、第２キャリッジ５９が配設されている。この第２キャリッジ５９には、第１ミラー５６により案内される原稿Ｄからの反射ビームを下方に折り曲げる第２ミラー６０、及び図中右方に折り曲げる第３ミラー６１が互いに直角に配置されている。
第２キャリッジ５９は、第１キャリッジ５７を駆動する図示しない歯付きベルトなどにより第１キャリッジ５７に従動されるとともに、この第１キャリッジ５７に対して１／２の速度で原稿テーブル５２に沿って平行に移動される。
第１キャリッジ５７の下方であって、第２キャリッジ５９を介して折り返されたビームの光軸を含む面内には、第２キャリッジ５９からの反射ビームを所定の倍率で結像させる結像レンズ６２、及び結像レンズ６２により集束性が与えられた反射ビームを電気信号すなわち画像データに変換する複数のＣＣＤイメージセンサからなるラインセンサ６３が配置されている。
なお、ここでは、ラインセンサ６３における複数のＣＣＤイメージセンサが配列されている方向を主走査方向とし、第１キャリッジ５７及び第２キャリッジ５９が移動する方向を副走査方向とする。
また、この複写装置５０はスキャナ部５０ａを固定させ、自動原稿給送装置５１により、原稿を搬送させながら画像を読み取る、シートスルータイプの画像読み取りシステムでも可能である。
一方、プリンタ部５０ｂではその画像メモリに記憶された画像データを画像形成出力する。すなわち、感光体ドラム１２を矢示方向に回転させると同時に、その感光体ドラム１２上に付着した残留トナー及び不均一な電位が帯電チャージャ１３及び現像ユニット１４、１５に到達しないように構成する。
すなわち、除電ランプ（ＱＬ）１６、転写前除電ランプ（ＰＴＬ）１７、転写チャージャ１８、分離チャージャ１９、イレーサ２０、及びクリーニングユニット２１を駆動して、除電ランプ１６を通過した後の感光体ドラム１２の表面電位が略ゼロになるようにする。
【００１０】
その後、感光体ドラム１２の表面を帯電チャージャ１３により一様に帯電するとともに、画像メモリに記憶された画像データを読み出して、それに応じて図示しない半導体レーザからレーザ光を射出させる。
半導体レーザから射出されるレーザ光は図示しないシリンダレンズによって集光され、回転走査するポリゴンミラー（レーザ光発生器）２２に入射する。その反射光が光学系（レンズ）２３、及びミラー２４を介して感光体ドラム１２の表面を照射して静電潜像を形成する。
次いで、感光体ドラム１２上に形成された潜像から、非画像部（画像作成領域からはみ出した不要部分）の電荷をイレーサ２０によって除去する。その後、黒トナーにより現像を行う黒現像ユニット１４あるいはカラートナーにより現像を行うカラー現像ユニット１５よりトナーを付着して可視像化する。このとき、現像バイアス電位を変化させることにより、画像の濃淡を調整することができる。
他方において、図示しないメインモータの駆動を選択的に取り出せる給紙クラッチのオンにより呼出コロ２５及び３個の給紙コロ２６のいずれかを駆動し、予め選択された給紙段（後述する）にセットされている転写紙を停止中のレジストローラ対２７に向けて給紙させる。
レジストローラ対２７の手前にはレジストセンサ２８が配設されており、このレジストセンサ２８は、例えば、反射型フォトセンサであり、その対向位置に転写紙の先端が到達するとオン状態になる。それから、一定時間経過後に給紙クラッチをオフ状態に戻して、搬送中の転写紙を停止させる。
なお、給紙クラッチのオフタイミングは、レジストセンサ２８とレジストローラ対２７の間を転写紙が搬送される時間より長く取られている。したがって、その転写紙は先端がレジストローラ対２７に付き当てられ、先端側にたわみを生じてスキュー等を防止する状態で待機する。
【００１１】
その後、感光体ドラム１２上の画像先端に合わせたタイミングでレジストクラッチをオン状態にし、それによってレジストローラ対２７が回転駆動されることにより、待機中の転写紙を転写部へ向けて再搬送する。
その転写紙が転写部に到達すると、転写チャージャ１８の作用によって感光体ドラム１２上のトナー像をその転写紙面上に転写する。続いて転写チャージャ１８と一体に保持されている分離チャージャ１９の作用によって転写紙面上の帯電電位を下げて転写紙と感光体ドラム１２との密着力を低下させる。その後、分離爪２９によってその転写紙を感光体ドラム１２面から分離する。
次いで、その転写紙を２個のローラに張装された搬送ベルト３０によって定着部へ送り、その定着ローラ３１によってトナー像を熱定着する。その後複写モードとして片面モードが選択されていれば、切り換え爪３２の上側を通して外部の図示しない排紙トレイに排紙する。両面モードが選択されていれば、切り換え爪３２の切り換えによって下側の再給紙用搬送経路３３へ送り込む。
なお、画像転写後の感光体ドラム１２上の残留トナーはクリーニングユニット２１を構成するクリーニングブラシ２１ａ、クリーニングブレード２１ｂによって除去してトナー回収タンク２１ｃに回収させ、さらに残存電荷を消去するためにその感光面を除電ランプ１６によって全面露光させる。
【００１２】
ところで、この複写装置５０には、特定サイズの転写紙のみをまとめて収納できる通常の給紙カセットとして、それぞれ異なるサイズの転写紙をセットした３つの給紙カセット３４〜３６を着脱可能に備え、またそのいずれの給紙カセットにも収納されていない転写紙、すなわち不特定サイズの転写紙をセットできる手差しテーブル（手差しトレイ）３７をも備えている。
そして、各給紙カセット３４〜３６のいずれかに収納されている転写紙を用いて複写する場合は、そのカセットサイズを図示しない操作パネル上のサイズ選択キーによって選択した後、複写スタートキーを押下することにより、その給紙カセットから転写紙の給紙が行なわれる。
なお、３８ａ〜３８ｃは各給紙カセット３４〜３６の各収納用紙サイズを検知するためのサイズ検知センサであり、例えば、５連のフォトインタラプタを使用する。
また、各給紙カセット３４〜３６の先端部には、それぞれ図示しないサイズ識別用の遮光板が付設されている。この遮光板は給紙カセット３４〜３６内に収納されるべき転写紙のサイズ毎に異なる切欠部を有している。
サイズ検知センサ３８ａ〜３８ｃは、給紙カセット３４〜３６が装着されると、その遮光板の遮光部を挟んだフォトインタラプタのみが光路を遮断されるため、それに応じた信号（コード）をそれぞれ後述する制御部へ出力することができる。
一方、不特定サイズの転写紙を用いて複写する場合には、手差しテーブル３７を仮想線で示す、閉じた状態から矢示Ａ方向に開いて実線で示す使用状態にする。その後、その上面に所望の転写紙をセットして、複写スタートキーを押下することにより、その手差しテーブル３７から転写紙の給紙が行なわれる。
なお、手差しテーブル３７が開く方向に回動すると、第１給紙カセット３４に設けられている転写紙載置用の底板を持ち上げていた底板上昇アーム３９がそれに連動して図示位置まで下降する。また、この複写装置の手差しテーブル３７に対向する位置には、その手差しテーブル３７の開閉を検知するための図示しない開閉検知センサが設置されている。
なお、給紙カセット３４〜３６のいずれか、あるいは手差しテーブル３７から給紙された転写紙がレジスト位置に到達する前位置に、ＲＦＩＤタグ読み取り手段４０を配置する。
【００１３】
このＲＦＩＤタグ読み取り手段４０は転写紙に付したＲＦＩＤタグとの間で通信を行う機能を果たす。このＲＦＩＤの読み取り手段４０は複数配置することも可能で、また、複数個のＲＦＩＤを検出することも可能なものである。
カバー６４の上面のやや左方向部位には、所定枚数、例えば５０枚の原稿Ｄを保持することが可能な原稿給紙台６５が設けられている。原稿給紙台６５の図中左方すなわち原稿自動給送装置５１の一端側には、原稿給紙台６５にセットされた原稿Ｄを順次１枚ずつ取り出すとともに、図中左端側から画像読取部５０ａの原稿テーブル５２の一端側に供給するためのピックアップローラ６７が配置されている。
原稿給紙台６５の所定の位置には、原稿給紙台６５への原稿Ｄがセットされたか否かを検知する検知手段として機能する原稿検知センサとしてのエンプテイセンサ６６が配設されている。
なお、原稿給紙台６５には、原稿テーブル５２に原稿Ｄがセットされた位置を検知する原稿位置検知センサ６６と同様に機能する図示しない原稿幅検知センサが配置されてもよい。
【００１４】
ピックアップローラ６７の原稿取り出し方向には、このピックアップローラ６７により取り出された原稿Ｄを原稿テーブル５２に向けて送出する給紙ローラ６８、及びこの給紙ローラ６８により給送された原稿Ｄの先端を整位するアライニングローラ６９が配置されている。
アライニングローラ６９と給紙ローラ６８との間には、原稿Ｄのアライニングローラ６９への到達を検出するアライニングセンサ７０が配置されている。カバー６４の内側であって、自動原稿給送装置５１が閉じられた状態で画像読み取り部５０ａの原稿テーブル５２と対向される位置には、原稿テーブル５２のほぼ全体を覆う大きさが与えられる。
ピックアップローラ６７、給紙ローラ６８及びアライニングローラ６９を介して原稿給紙台６５から搬送された原稿Ｄを原稿テーブル５２の所定の位置に搬送する搬送ベルト７１が配置されている。搬送ベルト７１は、図中左右一対に配置されたベルトローラ７２に掛け渡され、図示しないベルト駆動機構によって、図中右側及び図中左側の両方向に向けて回転される。
自動原稿給送装置５１の右側部位には、搬送ベルト７１により図中左側から図中右側に移動される原稿Ｄをカバー６４の外側に向けて送出する反転ローラ７３、この反転ローラ７３に原稿Ｄを押し付けるピンチローラ（図示せず）が配置される。
また、反転ローラ７３とピンチローラにより搬送される原稿Ｄを、再び搬送ベルト７１へ戻すか所定の排出位置すなわちカバー６４上に排出させるかを切り換えるフラッパ７５、このフラッパ７５が排出側に切り換えられている場合に、反転ローラ７３により搬送された原稿Ｄを排出させる排紙ローラ７６、及び反転ローラ７３の近傍での原稿のジャムを検知するジャムセンサ７７などが配置されている。
さらに、自動原稿給送装置５１内の原稿搬送経路上にＲＦＩＤタグ読み取り手段７８が配置され、原稿搬送中に原稿用紙に付したＲＦＩＤタグとの間で通信を行う機能を果たす。
【００１５】
図２は、本実施形態のデジタル複写装置の主として画像処理に係わる部分の概略構成を示したブロック図である。
この図２に示すデジタル複写装置は、ビデオ処理回路８１、画像処理回路８２、ビデオ書き込み処理回路８３、ＬＤ制御部８４、制御手段である中央処理装置（以下「ＣＰＵ」という）８５、ＲＯＭ８６、記憶手段であるＲＡＭ８７、画像メモリ８８、インタフェース（Ｉ／Ｆ）部８９、及びシステムバス９０を備えている。
ビデオ処理回路８１はスキャナ部５０ａで読み取った画像データ（ＣＣＤカラーイメージセンサ８０から出力される信号）をＡ／Ｄ変換して黒オフセット補正、シェーディング補正、画素位置補正を行う。操作パネル１００は後述の図４で詳細に示される。図中、符号９２は半導体レーザであるレーザダイオード（ＬＤ）を示している。
【００１６】
図３は画像処理回路の詳細を示すブロック図である。
この図３に示すように、画像処理回路８２は、色分離回路９３、ＭＴＦ補正回路９４、変倍回路９５、γ補正回路９６、及び画質処理回路９７により構成され、ビデオ処理回路８１から入力される画像データに対して画像処理を施す。この処理については、追って詳細に説明する。
図２に示すビデオ書き込み処理回路８３は、画像処理回路８２から入力される画像データに応じてプリンタ部５０ｂの制御を行う。ＬＤ制御部８４は、ビデオ書き込み処理回路８３からのビデオ信号に応じて、半導体レーザであるレーザダイオード（ＬＤ）９２の発光制御を司る。
ＣＰＵ８５はＲＯＭ８６内の制御プログラムにしたがってこのデジタル複写装置全体を統括的に制御する。ＲＯＭ８６はＣＰＵ８５を動作させるための制御プログラムを含む各種固定データを格納した読み出し専用のメモリである。
ＲＡＭ８７は、ＣＰＵ８５がデータ処理の際に一次的に使用する、読み書き可能なメモリである。このＲＡＭ８７にＲＦＩＤの情報の記憶もできるし、代替として不揮発メモリに記憶も可能である。
ＲＦＩＤの情報の形式は、例えばシリアル番号（１２３４５６７８９）のみ、或いは、分類コード＋シリアル番号（１１−１２３４５６７）等が考えられる。
なお、これらは１つのみ記憶できるのではなく、履歴として複数記録しておくことができる。
画像メモリ８８は画像処理回路８２から送られてくる画像データを記憶する読み書き可能なメモリである。インタフェース部８９は画像処理回路８２とシステムバス９０との間のインフェースを司る。
また、システムバス９０は各回路間のデータのやりとりをそれぞれ司る。操作パネル１００は、この発明に係わる編集内容の指示を含む各種情報を入力する入力部と各種情報を表示する表示部とからなる。
【００１７】
次に、図２に示した制御部による画像処理についてさらに詳細に説明する。
ＣＣＤカラーイメージセンサ８０によって読み取られたＲ、Ｇ、Ｂの画像信号は、ビデオ処理回路８１で適正なゲインを与えられてＡ／Ｄ変換され、黒オフセット補正、シェーディング補正、画素位置補正が行なわれる。
それにより、所定のクロックに同期した８ビットのデジタルデータである赤画像データＲＤＴ０〜７、緑画像データＧＤＴ０〜７、及び青画像データＢＤＴ０〜７として出力される。
ここで、黒オフセット補正とはＣＣＤカラーイメージセンサ８０の暗電流の黒レベルを画像データから減算する補正である。画素位置補正とは、ＣＣＤカラーイメージセンサ８０として３ラインのものを用いた場合である。
シェーディング補正とは、主走査方向の露光ランプ５４（図１参照）の光量ムラやＣＣＤカラーイメージセンサ８０の各色用ＣＣＤの画素間の感度差によるムラを除くために、原稿走査開始前に濃度の均一な白板を読み取ってそのデータを各画素毎に記憶し、原稿読み取り中の画像データを記憶した画素毎の白板のデータで除算することにより補正を行うものである。
画像処理回路８２では、ビデオ処理回路８１から出力されるＲＧＢの画像データ（ＲＤＴ０〜７、ＧＤＴ０〜７、ＢＤＴ０〜７）から図３に示した色分離回路９３で黒画像データＢＬＫＤＴ０〜７が分離される。
さらに、画像データＢＬＫＤＴ０〜７を、ＭＴＦ補正回路９４でＭＴＦ補正を施した後、変倍回路９５で主走査方向の電気変倍を行ない、さらにγ補正回路９６でγ補正を行った後、画質処理回路９７でディザや誤差拡散などの画質処理を行う。
ここで、ＭＴＦ補正とは、光学的な周波数特性の劣化などを２次元の空間フィルタで補正するものである。各種の補正がなされた黒画像データＢＬＫＤＴ０〜７は図２のインタフェース部８９に送られ、黒画像データＢＬＫＤＴ０〜７は画像メモリ８８に記憶される。
【００１８】
画像データＢＬＫＤＴ０〜７はビデオ書き込み処理回路８３にも送られ、そこでプリンタ部５０ｂ（図１参照）の書き込み速度に対応できるビデオ信号に変換されてＬＤ制御部８４に入力される。その画像信号に応じてレーザダイオード９２に与える電流のパルス幅や電流の量を制御し、図１に示した感光体ドラム１２上に光書き込みを行って静電潜像を形成する。
なお、画像処理回路８２はメイン制御部のＣＰＵ８５とアドレスバス、データバスを共有しており、これを介して通信が行なわれている。ＣＰＵ８５はスキャナ部５０ａやプリンタ部５０ｂのモータ制御も行っている。その他にも、各種クラッチ、ソレノイドの制御も行っている。
自動原稿給送装置５１はそれ自体の後端縁部が複写装置５０の上面後端縁部に図示しないヒンジ装置を介して取り付けられたカバー６４を有し、必要に応じて自動原稿給送装置５１全体を回動変位させることで、既に説明したように、スキャナ部５０ａの原稿テーブル５２に対して開閉可能に形成されている。
【００１９】
図４は様々な複写条件並びに複写動作を開始させる複写開始信号などを入力する操作パネルを示す概略図である。
この図４に示すように、複写装置５０本体の前面上部には、様々な複写条件並びに複写動作を開始させる複写開始信号などを入力する操作パネル１００が設けられている。
図４に示すように、操作パネル１００には、複写機能を実行するための複写モードを設定する複写ボタン１０１、ファクシミリ機能を実行するためのＦＡＸモードを設定するＦＡＸボタン１０２、及びプリンタ機能を実行するためのプリンタモードを設定するプリンタボタン１０３が設けられている。
また、操作パネル１００には、複写モードにおいて複写枚数などの数値を入力するためのテンキー１０７、複写の開始を指示するスタートボタン１０４、複写枚数を訂正するときや複写動作を停止させるときなどに使用されるクリア／ストップボタン１０５、選択したモードや各種設定した条件等をすべてクリアするオールクリアボタン１０６、及び複写倍率を設定するための倍率設定ボタン１０８が設けられている。
スタートボタン１０４は、原稿給紙台６５（図１参照）にセットされた原稿の読み取り開始を指示するとともに、画像データに基づいた画像の形成を指示する入力手段として機能する。
さらに、操作パネル１００には、画像を形成したい用紙のサイズを選択設定するための用紙サイズボタン１０９、原稿台に載置された原稿のサイズを検知して自動的に用紙サイズを設定する自動用紙選択ボタン１１０、原稿サイズを設定するための原稿サイズボタン１１１、及び用紙サイズボタン１０９によって設定された用紙サイズと検知した原稿サイズとに基づいて自動的に複写倍率を設定する自動倍率選択ボタン１１２が設けられている。
これらの各種設定ボタンの他に、さらに設定されたモードの内容や操作手順などの案内情報を表示させる操作ガイドボタン１１３、予熱状態を設定する予熱ボタン１１４、プリンタ部の動作中に割り込みを指示する割り込みボタン１１５などが設けられている。
そして、この操作パネル１００の略中央には、装置の状態、操作手順、及びユーザに対して各種のメッセージを文字や図形で表示する報知手段として機能するタッチパネル式の液晶表示装置（ＬＣＤ）によって構成された表示パネル１１６が設けられている。この表示パネル１１６は、機能毎にその操作を画面に表示するものである。
表示パネル１１６は、図示してないが、例えばユーザに情報を提供するための上段、中段、下段の３つのエリアからなるメッセージエリアと、基本操作を指定するための「基本」ボタン、編集操作を指定するための「編集」ボタン、拡張操作を指定するための「拡張」ボタン、設定操作を指定するための「指定」ボタンなどのタイトル切り換えボタンが配置されたタイトルエリアと、原稿枚数や複写枚数などを表示するためのフィールドエリアを有している。
基本操作では、通常の複写動作、すなわち原稿画像を読み取って原稿画像に対応した画像（正像）を転写紙上に形成する第１画像形成モードが実行される。
編集操作では、特殊な複写動作、すなわち原稿画像を読み取って原稿画像を副走査方向に反転させた画像すなわち鏡像を転写紙上に形成する第２画像形成モードなどを設定することができる。
【００２０】
図５は、本発明の第１の実施形態を説明するフローチャートである。
図１、図２及び図５を参照して第１の実施形態を説明する。
原稿給紙台６５に原稿用紙をセットし、操作パネル１００よりボタン押下によって複写要求を行った際、即ち複写要求有り（Ｓ１）の場合、１枚目の原稿用紙先端がピックアップローラ６７、給紙ローラ６８により給送される（Ｓ２）。
ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ３）。
このとき、通信成功かどうかを判断し（Ｓ４）、通信成功ならば、検出したＲＦＩＤ情報のみを印刷する（Ｓ５）。データ授受に失敗した場合には、複写動作を実施する（Ｓ６）。
図６は本発明の第２の実施形態を説明するフローチャートである。
図１、図２及び図６を参照して第２の実施形態を説明する。
原稿給紙台６５に原稿用紙をセットし、操作パネル１００よりボタン押下によって複写要求を行う（Ｓ１１）。この際、１枚目の原稿用紙先端がピックアップローラ６７、給紙ローラ６８により給送され（Ｓ１２）、ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ１３）。このとき、通信成功かどうかを判断する（Ｓ１４）。
データ授受に失敗した場合、複写動作を実施する（Ｓ１７）。通信が成功した場合には、検出したＲＦＩＤの情報をメモリ上に記憶し（Ｓ１５）、ＲＦＩＤの情報のみを印刷する（Ｓ１６）。
【００２１】
図７は本発明の第３の実施形態を説明するフローチャートである。
図１、図２及び図７を参照して第３の実施形態を説明する。
原稿給紙台６５に原稿用紙をセットし、操作パネル１００よりボタン押下によって複写要求を行う（Ｓ２１）。
１枚目の原稿用紙先端がピックアップローラ６７、給紙ローラ６８により給送され（Ｓ２２）、ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ２３）。通信が成功かどうかを判断し（Ｓ２４）、このとき、データ授受に失敗した場合、複写動作を実施する（Ｓ２６）。通信が成功した場合には、メモリ上に記憶されている全てのＲＦＩＤの情報を印刷する（Ｓ２５）。
図８は本発明の第４の実施形態を説明するフローチャートである。
図１、図２及び図８を参照して第４の実施形態を説明する。
操作パネル１００より、検出する特定のＲＦＩＤの値を予め設定する（Ｓ３１）。原稿給紙台６５に原稿用紙をセットし、操作パネル１００よりボタン押下によって複写要求を行う（Ｓ３２）。
１枚目の原稿用紙先端がピックアップローラ６７、給紙ローラ６８により給送され（Ｓ３３）、ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ３４）。
通信が成功かどうかを判断し（Ｓ３５）、このとき、データ授受に失敗した場合、複写動作を実施する（Ｓ３６）。
通信が成功した場合、検出されたＲＦＩＤが前述の操作部から設定されたＲＦＩＤの値かどうか判断する（Ｓ３７）。ＲＦＩＤの値で有れば、メモリ上に記憶されている全てのＲＦＩＤの情報を印刷する（Ｓ３８）。
【００２２】
図９は本発明の第５の実施形態を説明するフローチャートである。
図１、図２及び図９を参照して第５の実施形態を説明する。
原稿給紙台６５に原稿用紙をセットし、操作パネル１００よりボタン押下によって複写要求を行う（Ｓ４１）。
１枚目の原稿用紙先端がピックアップローラ６７、給紙ローラ６８により給送され（Ｓ４２）、ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ４３）。
通信が成功かどうかを判断し（Ｓ４４）、このとき、データ授受に失敗した場合、複写動作を実施する（Ｓ４６）。通信が成功した場合、メモリ上に記憶されている全てのＲＦＩＤ情報のなかで、検出されたＲＦＩＤの情報と一致する（一部又は全部）ものがあるかどうか判断する（Ｓ４５）。一致するものがあれば、一致したＲＦＩＤ情報のみを印刷する（Ｓ４７）。
【００２３】
図１０は本発明の第６の実施形態を説明するフローチャートである。
図１、図２及び図１０を参照して第６の実施形態を説明する。
原稿給紙台６５に原稿用紙をセットし、操作パネル１００よりボタン押下によって複写要求を行う（Ｓ５１）。
１枚目の原稿用紙先端がピックアップローラ６７、給紙ローラ６８により送給され（Ｓ５２）、ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ５３）。
通信が成功かどうかを判断し（Ｓ５４）、このとき、データ授受に失敗した場合、複写動作を実施する（Ｓ５５）。通信が成功した場合、メモリ上に記憶されている全てのＲＦＩＤ情報のなかで、検出されたＲＦＩＤの情報と一致する（一部又は全部）ものがあるかどうか判断する（Ｓ５６）。
検出されたＲＦＩＤの情報と一致するものがあれば、一致したＲＦＩＤ情報のみを印刷する（Ｓ５８）。一致するものがない場合には、何も印刷しない（Ｓ５７）。
図１１は本発明の第７の実施形態を説明するフローチャートである。
図１、図２及び図１１を参照して第７の実施形態を説明する。
操作パネル１００より、ＲＦＩＤの検出を実施するか否かを予め設定する（Ｓ６１）。
原稿給紙台６５に原稿用紙をセットし、操作パネル１００よりボタン押下によって複写要求を行う（Ｓ６２）。１枚目の原稿用紙先端がピックアップローラ６７、給紙ローラ６８により送給される（Ｓ６３）。
ＲＦＩＤタグ検出を実施する設定があるかどうかを判断し（Ｓ６４）、設定がある場合は、図５に示したステップＳ５、図６に示したステップＳ１６、図７に示したステップＳ２５、図８に示したステップＳ３８、図９に示したステップＳ４７、図１０に示したステップＳ５７の各動作を実施する（Ｓ６６）。ステップ（Ｓ６４）で検出設定がない場合は、通常の複写動作を行う（Ｓ６５）。
【００２４】
図１２は本発明の第８の実施形態を説明するフローチャートである。
図１、図２及び図１２を参照して第８の実施形態を説明する。
複写開始時に、原稿から所定のＲＦＩＤタグを検出した場合は、その検出したＲＦＩＤの情報のみを１枚印刷し、続けて２枚目以降に原稿の複写動作を行う。
操作パネル１００よりボタン押下によって複写要求を行った際、すなわち、複写要求有り（Ｓ７１）の場合、１枚目の原稿用紙先端がピックアップローラ６７、給紙ローラ６８により給送される（Ｓ７２）。
ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ７３）。
このとき、通信成功かどうかを判断し（Ｓ７４）、通信成功ならば、検出したＲＦＩＤ情報のみを、まず印刷し（Ｓ７５）、続いて、原稿の複写動作を実施する（Ｓ７６）。データ授受に失敗した（通信不成功）場合には、複写動作を実施する（Ｓ７７）。
図１３は本発明の第９の実施形態を説明するフローチャートである。
図１、図２及び図１３を参照して第９の実施形態を説明する。
原稿給紙台６５に原稿用紙をセットし、操作パネル１００よりボタン押下によって複写要求を行う（Ｓ８１）。
１枚目の原稿用紙先端がピックアップローラ６７、給紙ローラ６８により送給され（Ｓ８２）、ＲＦＩＤタグ読み取り手段７８を通過することで、原稿用紙にＲＦＩＤが付されていた場合、ＲＦＩＤタグ読み取り手段７８との間で規定の通信プロトコルによりデータ授受（ＲＦＩＤ通信ポーリング）が行われる（Ｓ８３）。
通信が成功かどうかを判断し（Ｓ８４）、このとき、データ授受に失敗した場合、複写動作を実施する（Ｓ８７）。通信が成功した場合には、複写動作を実施し（Ｓ８５）、次いで、検出したＲＦＩＤの情報のみの印刷動作を行う（Ｓ８６）。
【００２５】
図１４は本発明の第１０の実施形態を説明するフローチャートである。
図１、図２及び図１４を参照して第１０の実施形態を説明する。
操作パネル１００より、ＲＦＩＤの検出を実施するか否かを設定し、実施する場合には、ＲＦＩＤの印刷を複写動作より先にするか、後にするかを設定する（Ｓ９１）。
原稿給紙台６５に原稿用紙をセットし、操作パネル１００よりボタン押下によって複写要求を行う（Ｓ９２）。１枚目の原稿用紙先端がピックアップローラ６７、給紙ローラ６８により送給される（Ｓ９３）。
ＲＦＩＤタグ検出を実施する設定があるかどうかを判断し（Ｓ９４）、設定がある場合は、ＲＦＩＤの情報を先に印刷かどうかを判断し（Ｓ９５）、先に印刷ならば、図１２に示したステップＳ７５、Ｓ７６の動作を実施する（Ｓ９６）。
先に印刷でないならば、図１３に示したステップＳ８５、Ｓ８６の動作を実施する（Ｓ９７）。また、ステップＳ９４で設定がない場合は、通常の複写動作を行う（Ｓ９８）。
【図面の簡単な説明】
【００２６】
【図１】本発明に係る画像形成装置の実施形態を示す概略図である。
【図２】本実施形態に係る画像形成装置の制御部の概略構成を示したブロック図である。
【図３】画像処理回路の詳細を示すブロック図である。
【図４】操作パネルの概略図である。
【図５】本発明の第１の実施形態を説明するフローチャートである。
【図６】本発明の第２の実施形態を説明するフローチャートである。
【図７】本発明の第３の実施形態を説明するフローチャートである。
【図８】本発明の第４の実施形態を説明するフローチャートである。
【図９】本発明の第５の実施形態を説明するフローチャートである。
【図１０】本発明の第６の実施形態を説明するフローチャートである。
【図１１】本発明の第７の実施形態を説明するフローチャートである。
【図１２】本発明の第８の実施形態を説明するフローチャートである。
【図１３】本発明の第９の実施形態を説明するフローチャートである。
【図１４】本発明の第１０の実施形態を説明するフローチャートである。
【符号の説明】
【００２７】
４０  ＲＦＩＤタグ読み取り手段、５０  複写装置（画像形成装置）、５０ａ  スキャナ部（画像読み取り手段）、５０ｂ  プリンタ部（画像形成手段）、７８  ＲＦＩＤタグ読み取り手段、８５  ＣＰＵ（制御手段）、８７  ＲＡＭ（記憶手段）、１００  操作パネル
【図１】
2006229717.tif 000003
【図２】
2006229717.tif 000004
【図３】
2006229717.tif 000005
【図４】
2006229717.tif 000006
【図５】
2006229717.tif 000007
【図６】
2006229717.tif 000008
【図７】
2006229717.tif 000009
【図８】
2006229717.tif 000010
【図９】
2006229717.tif 000011
【図１０】
2006229717.tif 000012
【図１１】
2006229717.tif 000013
【図１２】
2006229717.tif 000014
【図１３】
2006229717.tif 000015
【図１４】
2006229717.tif 000016